(57)【特許請求の範囲】
【請求項１】
直流電力を交流電力に変換するインバータ回路を有し、当該インバータ回路から出力さ
れる前記交流電力を複数の需要家へ供給する電力変換システムにおいて、
一端を前記インバータ回路の出力側に接続し他端を前記複数の需要家へ夫々接続される複
数の分岐配線と、
前記分岐配線に夫々介在し前記分岐配線の線路の接続／開放を行う開閉器と、を備え、
複数の前記開閉器を予め定めた順に接続／解放を行うことにより前記交流電力を順に前
記複数の需要家へ供給し、接続状態の開閉器に接続される需要家に供給される前記交流電
力の電力量が所定値になった場合に、接続状態の開閉器を開放して次の順の開閉器を接続
することを特徴とする電力変換システム。
【請求項２】
前記所定値は、夫々の需要家毎に定められることを特徴とする請求項１に記載の電力変
換システム。
【請求項３】
前記需要家に対して、該需要家に接続される前記開閉器が閉じられて前記交流電力の供
給が行われる時期を知らせることを特徴とする請求項１又は請求項２に記載の電力変換シ
ステム。
【請求項４】
前記分岐配線は、前記需要家へ電力を供給する商用電力系統に接続され、
前記需要家から前記商用電力系統への逆潮流する電力を検出する逆潮流検出器を備え、
前記逆潮流検出器により、逆潮流を検出した場合、少なくとも１つの解放状態の開閉器
を接続することを特徴とする請求項１乃至請求項３の何れかに記載の電力変換システム。
【請求項５】
前記逆潮流を検出した場合に接続する開閉器は、次の順の開閉器であることを特徴とす
る請求項４に記載の電力変換システム。
【請求項６】
直流電力を交流電力に変換するインバータ回路に接続され、複数の需要家へ前記交流電
力を供給する電力分配器において、
一端が前記インバータ回路の出力側に接続され、他端を前記複数の需要家へ夫々接続さ
れる複数の分岐配線と、
前記分岐配線に夫々介在し前記分岐配線の線路の接続／開放を行う開閉器と、を備え、
複数の前記開閉器を予め定めた順に接続／解放を行うことにより前記交流電力を順に前
記複数の需要家へ供給し、接続状態の開閉器に接続される需要家に供給される前記交流電
力の電力量が所定値になった場合に、接続状態の開閉器を開放して次の順の開閉器を接続
することを特徴とする電力分配器。
【請求項７】
直流電力を交流電力に変換するインバータ回路を有し、当該インバータ回路から出力さ
れる前記交流電力を複数の需要家へ供給する電力変換システムにおいて、
一端を前記インバータ回路の出力側に接続し他端を前記複数の需要家へ夫々接続される
複数の分岐配線と、前記分岐配線に介在し前記交流電力を供給する前記需要家を選択する
選択器と、を備え、
前記選択器は前記需要家へ供給される前記交流電力の電力量が所定値になった場合に前
記交流電力を供給する需要家を変えることを特徴とする電力変換システム。
【請求項８】
前記選択器は複数の需要家を選択することが可能に構成されていることを特徴とする請
求項７に記載の電力変換システム。
【発明の詳細な説明】
【技術分野】
【０００１】
本発明は、発電機の発電電力を交流電力に変換して、この交流電力を複数の需要家へ供給する電力変換システムに関する。
【背景技術】
【０００２】
従来より、共通の発電機（例えば、太陽電池、燃料電池、風力発電機など）の発電電力を所定の分配比率で複数の需要家へ分配する電力変換システムが提案されている（特許文献１）。【０００３】
【特許文献１】特開２００３−１３４６７２号公報
【０００４】
このような電力変換システムは、例えば、集合住宅において共同の発電機を設けたい場合や、近隣の複数の需要家が共同の発電機を設けたい場合に、出資比率などに応じて予め定めた分配比率を用いて発電機を利用するものであった。【０００５】
この電力変換システムは、発電機として太陽電池を備え、太陽電池の発電電力をインバータ回路により交流電力に変換する。変換された交流電力は、インバータ回路の出力側より分岐する分岐配線を利用して各需要家へ分配される。夫々の需要家に接続される分岐配線には電力制御器が設けられており、電力を分配する際にはこの電力制御器により分岐配線に流れる電力をオン／オフ制御して、夫々の需要家に上述の分配比率の電力を分配している。このように分岐配線を用いて各需要家へ電力を分配する場合、インバータ回路も共用することができるため、装置を安価に構成することができる。
【発明の開示】
【発明が解決しようとする課題】
【０００６】
しかしながら、従来の電力変換システムのように、インバータ回路の出力側より分岐する分岐配線を利用して各需要家へ電力を分配する場合は、需要家にて利用される負荷が少し変動するだけでも需要家に供給される電力が変動してしまうため、予め定めた分配比率により需要家に電力を分配することは難しく、電力の分配に不公平が生じるおそれがあった。【０００７】
本発明は上述の問題に鑑みて成された発明であり、システムを安価に構成しつつも電力の分配による際の不公平を抑制することができる電力変換システムを提供することを目的とする。
【課題を解決するための手段】
【０００８】
上記目的を達成するために、本発明の電力変換システムは、直流電力を交流電力に変換するインバータ回路を有し、当該インバータ回路から出力される前記交流電力を複数の需要家へ供給する電力変換システムにおいて、一端を前記インバータ回路の出力側に接続し他端を前記複数の需要家へ夫々接続される複数の分岐配線と、前記分岐配線に夫々介在し前記分岐配線の線路の接続／開放を行う開閉器と、を備え、複数の前記開閉器を予め定めた順に接続／解放を行うことにより前記交流電力を順に前記複数の需要家へ供給し、接続状態の開閉器に接続される需要家に供給される前記交流電力の電力量が所定値になった場合に、接続状態の開閉器を開放して次の順の開閉器を接続することを特徴とする。【０００９】
本発明によれば、分岐配線を用いて各需要家へ電力を分配し、インバータ回路を共用する安価な構成を用いて、順に複数の需要家に交流電力を供給するようにした。また、需要家に供給される交流電力の電力量が所定値になった場合に、この需要家に接続される接続状態の開閉器を開放して次の順の開閉器を接続するようにした。これにより、交流電力を予め定めた分配比率の電力量にて各需要家へ供給することができるため、システムを安価に構成しつつも電力の分配による際の不公平を抑制することができる。【００１０】
また、上述の発明において、前記所定値は、夫々の需要家毎に定められることを特徴とする。【００１１】
また、上述の発明において、前記需要家に対して、該需要家に接続される前記開閉器が閉じられて前記交流電力の供給が行われる時期を知らせることを特徴とする。【００１２】
また、上述の発明において、前記分岐配線は、前記需要家へ電力を供給する商用電力系統に接続され、
前記需要家から前記商用電力系統への逆潮流する電力を検出する逆潮流検出器を備え、前記逆潮流検出器により、逆潮流を検出した場合、少なくとも１つの解放状態の開閉器を接続することを特徴とする。【００１３】
また、上述の発明において、前記逆潮流を検出した場合に接続する開閉器は、次の順の開閉器であることを特徴とする。【００１４】
また、本発明の電力分配器は、直流電力を交流電力に変換するインバータ回路に接続され、複数の需要家へ前記交流電力を供給する電力分配器において、一端が前記インバータ回路の出力側に接続され、他端を前記複数の需要家へ夫々接続される複数の分岐配線と、
前記分岐配線に夫々介在し前記分岐配線の線路の接続／開放を行う開閉器と、を備え、
複数の前記開閉器を予め定めた順に接続／解放を行うことにより前記交流電力を順に前記複数の需要家へ供給し、接続状態の開閉器に接続される需要家に供給される前記交流電力の電力量が所定値になった場合に、接続状態の開閉器を開放して次の順の開閉器を接続することを特徴とする。【００１５】
また、本発明の電力変換システムは直流電力を交流電力に変換するインバータ回路を有し、当該インバータ回路から出力される交流電力を複数の需要家へ供給する電力変換システムにおいて、一端を前記インバータ回路の出力側に接続し他端を複数の需要家へ夫々接続される複数の分岐配線と、分岐配線に介在し交流電力を供給する需要家を選択する選択器と、を備え、選択器は需要家へ供給される交流電力が所定の条件を満たした際に交流電力を供給する需要家を変えることを特徴とする。【００１６】
また、上述の発明において、所定の条件は需要家へ供給される交流電力の累積もしくは需要家へ交流電力が供給されている時間であることを特徴とする。【００１７】
また、上述の発明において、選択器は複数の需要家を選択することが可能に構成されていることを特徴とする。
【発明の効果】
【００１８】
本発明によれば、システムを安価に構成しつつも電力の分配による際の不公平を抑制することができる電力変換システムを提供することを目的とする。
【図面の簡単な説明】
【００１９】
【図１】電力変換システムの実施例を示す概要図である。
【図２】電力変換システムの実施例を示す電気回路図である。
【図３】複数の連系用リレーを接続／開放する際の動作フローチャートを示す図である。
【発明を実施するための最良の形態】
【００２０】
以下、図面に基づき本発明の実施形態を詳述する。図１は電力変換システム１の設置状態を示す概要図である。この図に示すように、商用電力系統４から各需要家２ａ、２ｂが夫々交流電力の供給を受けており、この需要家２ａ、２ｂに共通の電力変換システム１が配備される。【００２１】
電力変換システム１は、需要家２ａ、２ｂに対して共通の太陽電池３（発電機）から直流電力の供給を受ける。本実施例では、需要家２ａ、２ｂは、戸建て家屋で構成されており、需要家２ａ、ｂは夫々近隣の家屋である。太陽電池３は、需要家２ａの屋根の上に設置され、電力変換システム１は、この建物の１階（需要家２ａ）の脇に配置される。太陽電池３の発電電力は電力変換システム１に入力され、電力変換システム１は、この発電電力を夫々の需要家２ａ、２ｂに分配して供給する。尚、需要家２ａ〜２ｃは近隣の戸建て家屋に限らず、例えば、マンションやアパートの様な集合住宅で構成されていてもよい。また、太陽電池３は、需要家２ａの屋根の上に設置されるが、需要家２ａ、２ｂの近隣に設置するようにしても良い。【００２２】
ぞれぞれの需要家２ａ、２ｂは、分電盤２１ａ、２１ｂを有している。分電盤２１ａ、２１ｂは、商用電力系統３の供給する交流電力と、電力変換装置の供給する交流電力とを入力し、これらの交流電力を重畳して需要家２ａ、２ｂの負荷２５に供給する。【００２３】
また、各需要家２ａ、２ｂの分電盤２１ａ、２１ｂの商用電力系統３側には、逆潮流検出器２２ａ、２２ｂ、買電計２３ａ、２３ｂと買電計２４ａ、２４ｂが夫々設けられている。買電計２３ａ、２３ｂは、商用電力系統３から需要家２ａ、２ｂに供給される電力を検出する。検出された電力は、買電電力料金を演算するために用いられる。売電計２４ａ、２４ｂは、需要家２ａ、２ｂから商用電力系統３に供給される電力を検出する。検出された電力は、売電電力料金を演算するために用いられる。【００２４】
このように、各需要家２ａ、２ｂには、個別に買電計２３ａ、２３ｂと買電計２４ａ、２４ｂが設けられており、個別に電力会社と電力の売買を行うことができるように構成されている。【００２５】
逆潮流検出器２２ａ、２２ｂは、需要家２ａ、２ｂから商用電力系統４へ逆潮流する電力を検出して電力変換システム１に知らせる。電力変換システム１は、この知らせに基づいて電力変換システム１の動作を制御する。制御内容については後ほど詳述する。【００２６】
また、需要家２ａ、２ｂには夫々表示モニタ２６ａ、２６ｂが備えられており、需要家２ａ、２ｂの電力の利用状況等が表示できるようになっている。【００２７】
次に、電力変換システム１について図面を参照しながら詳細に述べる。図２は、電力変換装システムの電気回路図である。この図に示すように、電力変換システム１は、昇圧回路１１、インバータ回路１２、連系用リレー１３ａ、１３ｂ（開閉器）、制御回路１４、入力電流センサ５１、入力電圧センサ５２、出力電流センサ５３ａ、５３ｂ、出力電圧センサ５４ａ、５４ｂを備えている。また、昇圧回路１１、インバータ１２ｃ、系統連系用リレー１３ａ、１３ｂ、制御回路１４、入力電流センサ５１、入力電圧センサ５２、出力電流センサ５３ａ、５３ｂ、出力電圧センサ５４ａ、５４ｂは、共通の筺体に収容され、この筺体を配置することにより共通の場所（ここでは需要家２ｃの脇）にまとめられる。【００２８】
昇圧回路１１は、太陽電池３とインバータ回路１２との間に接続され、太陽電池３の電圧を昇圧する。昇圧回路１１は、リアクトル、ＩＧＢＴやＦＥＴのようなスイッチ素子、ダイオード回路、及びコンデンサからなる。具体的には、リアクトルとダイオードとを直列に接続して直列回路を形成し、この直列回路のリアクトル側を太陽電池３の正極側に接続する。また、リアクトルとダイオードとの接続点と太陽電池の負極側とをスイッチ素子を介して接続している。また、直列回路のダイオード側と太陽電池の負極側とをコンデンサを介して接続している。昇圧回路１１は、スイッチ素子を周期的に導通／遮断し、例えば、この周期毎にスイッチ素子を導通する比率（以後、ＯＮ比率）を設定することにより、太陽電池の電圧を所望の昇圧比で昇圧してコンデンサの両端に出力する。【００２９】
インバータ回路１２は、昇圧回路１１を介して入力される共通の太陽電池３の発電電力を交流電力に変換する。また、インバータ回路１２の出力側には、複数の分岐配線Ｌａ、Ｌｂの一端が接続されており、分岐配線Ｌａ、Ｌｂの他端は複数の需要家へ夫々接続されている。これにより、インバータ回路１２により変換された交流電力はこの分岐配線Ｌａ、Ｌｂを介して需要家２ａ、２ｂへ供給される。【００３０】
インバータ回路１２は、ＩＧＢＴやＦＥＴのような４つのスイッチ素子によるブリッジ回路と、２つのリアクトルとコンデンサによるフィルタ回路とを有している。インバータ回路１２のブリッジ回路は、夫々、直流側が昇圧回路のコンデンサの両端に接続され、交流側がフィルタ回路に接続されている。フィルタ回路は、２つのリアクトルの夫々の一端をコンデンサにより接続し、夫々のリアクトルの他端をブリッジ回路の交流側に接続する。インバータ回路１２は、所定のＰＷＭ（Ｐｕｌｓｅ  Ｗｉｄｔｈ  Ｍｏｄｕｌａｔｉｏｎ）信号を用いて、４つのスイッチ素子を導通／遮断することにより、商用電力系統と同期した波形の交流電力を生成し、需要家２ａ、２ｂに供給する。【００３１】
連系用リレー１３ａ、１３ｂは、分岐配線Ｌａ、Ｌｂに夫々介在し、分岐配線Ｌａ、Ｌｂの線路の接続／開放を行う。これにより、接続状態の連系用リレー１３ａ、１３ｂに接続される需要家２ａ、２ｂには、インバータ回路１２の出力する交流電力が供給され、開放状態の連系用リレー１３ａ、１３ｂに接続される需要家２ａ、２ｂには、インバータ回路１２の出力する交流電力が遮断されることになる。【００３２】
連系用リレー１３a、１３ｂが動作することによって分岐配線Ｌａ、Ｌｂの路線が接続／開放して交流電力を供給する需要家を選択する選択器の動作を行っているが、選択器の構成はこれに限るものではなく、共通接点と夫々の需要家へつながる接点とを切り換えるように成した回転式の切換えスイッチを用いて需要家の選択を行うように成してよい。また、需要家は同時に複数が選択されてもよいものである。【００３３】
入力電流センサ５１は、昇圧回路１１の入力側に設けられ、太陽電池３から昇圧回路１１に入力される直流の入力電流Ｉｉを検出する。入力電圧センサ５１は、昇圧回路１１の入力側に設けられ、太陽電池３から昇圧回路１１に入力される直流の入力電圧を検出する。また、分岐配線Ｌａ、Ｌｂには、夫々出力電流センサ５３ａ、５３ｂが設けられ、夫々の分岐配線Ｌａ、Ｌｂの瞬時の出力電流Ｉｏａ、Ｉｏｂを検出する。また、インバータ回路１２の出力側には、夫々出力電圧センサ５４ａ、５４ｂが設けられ、夫々のインバータ回路１２の瞬時の出力電圧Ｖｏａ、Ｖｏｂを検出する。【００３４】
検出された入力電流Ｉｉ、及び入力電圧Ｖｉは制御回路に入力される。また、出力電流Ｉｏａ、Ｉｏｂ、及び出力電圧Ｖｏａ、Ｖｏｂは、制御回路に入力され、過去に入力された出力電流Ｉｏａ、Ｉｏｂ、及び出力電圧Ｖｏａ、Ｖｏｂを用いて制御回路１４内にて、実行値（または平均値）が演算される。以後、出力電流Ｉｏａ、Ｉｏｂの実効値を出力電流Ｉａ、Ｉｂとし、出力電圧Ｖｏａ、Ｖｏｂの実効値をＶａ、Ｖｂとする。入力電流Ｉｉ、入力電圧Ｖｉ、出力電流Ｉａ、Ｉｂ、及び出力電圧Ｖａ、Ｖｂは、電力変換システム１１の動作の制御に利用される。【００３５】
制御回路１４は、例えば、マイコンから成り、昇圧回路１１の動作、インバータ回路１２の動作、及び連系用リレー１３ａ、１３ｂの動作の制御を行う。【００３６】
制御回路１４は、昇圧回路１１のＯＮ比率を、太陽電池３の発電電力（昇圧回路１１への入力電力）が最大になるように制御する。具体的には、入力電流センサ５１と入力電圧センサ５２から得られる入力電流と入力電圧とから、昇圧回路１１に入力される太陽電池３の発電電力を演算する。演算した発電電力が、前回演算した発電電力よりも大きい場合は、前回ＯＮ比率を変更した方と同じ方にＯＮ比率を変更する（前回ＯＮ比率を低くした場合再度低くし、前回ＯＮ比率を高くした場合は高くする）。また、逆に、前回演算した発電電力よりも小さい場合は、前回ＯＮ比率を変更した方と逆の方にＯＮ比率を変更する（前回ＯＮ比率を低くした場合高くし、前回ＯＮ比率を高くした場合は低くする）。【００３７】
制御回路１４は、インバータ回路１２のスイッチ素子を導通／遮断するためのＰＷＭ信号を生成する。具体的には、制御回路１４は、夫々の需要家に供給されている商用系統の電圧を同じとして説明を容易にすると、インバータ回路１２の出力電流指令値Ｉｔを演算し、検出した出力電流（Ｉａ＋Ｉｂ）が出力電流指令値に一致するようにインバータ回路１２の出力電圧を出力するようなＰＷＭ信号を生成する。【００３８】
制御回路１４は、連系用リレー１３ａ、１３ｂを接続／開放するための信号を生成して連系用リレー１３ａ、１３ｂが所望の状態（接続状態ｏｒ開放状態）になるように制御する。この際、制御回路１４は、複数の連系用リレー１３ａ、１３ｂを予め定めた順に接続／解放を行うことにより、インバータ回路１３の出力する交流電力を順に複数の需要家２ａ、２ｂへ供給する。この際に、制御回路１４は、接続状態の連系用リレー１３ａ、１３ｂに接続される需要家に供給される交流電力の電力量が所定値になった場合に、接続状態の開閉器を開放して次の順の開閉器を接続状態にする。尚、選択される需要家は交流電力の電力量に限らず、時間の経過で変えるように構成してもよいものである。【００３９】
図３に、複数の連系用リレーを接続／開放する際の動作フローチャートを示す。このフローチャートでは便宜上ｉに数字（１、２・・ｎ）を入れたものを利用する。制御回路１４は、連系用リレー１３ａ、１３ｂを順に接続／開放する制御を開始すると、ｉに１を入力し（ステップＳ１１）、ｉ番目の連系用リレーを接続状態にする（ステップＳ１２）。【００４０】
次に、制御回路１４は、ｉ番目の連系用リレーが介在する分岐配線の電流Ｉ[ｉ]を検出し（ステップＳ１３）、この分岐配線に接続される需要家に供給される電力量Ｐ[ｉ]を演算する（ステップＳ１４）。電力量Ｐ[ｉ]は、電力の積算値なので、Ｐ[ｉ]＝Ｐ[ｉ]＋Ｉ[ｉ]×Ｖ×Ｔにより求めることができる。ここでＶは商用電力系統の電圧を示し、Ｔは電流Ｉ[ｉ]のサンプリングタイムを示す。ただし、Ｖに変えてｉ番目の連系用リレーが介在する分岐配線の電圧Ｖ[ｉ]を利用することもできる。【００４１】
演算された電力量Ｐ[ｉ]は所定値Ｐｔｈ[ｉ]と比較され、電力量Ｐ[ｉ]が所定値Ｐｔｈ[ｉ]よりも大きいか否かを判断する（ステップＳ１５）。Ｐ[ｉ]が所定値Ｐｔｈ[ｉ]よりも大きくない場合は、ステップＳ１３へ移行し、Ｐ[ｉ]が所定値Ｐｔｈ[ｉ]よりも大きくなるまでステップＳ１３〜ステップＳ１５を繰り返す。Ｐ[ｉ]が所定値Ｐｔｈ[ｉ]よりも大きい場合は、ｉ番目の連系リレーを開放し（ステップＳ１６）、電力量Ｐ[ｉ]をゼロにリセットして（ステップＳ１７）ｉに１を加える（ステップＳ１８）。【００４２】
ステップＳ１８の後、制御回路１４は、ｉがｎよりも大きいか否かを判断し（ステップＳ１９）、ｉがｎよりも大きい場合は、ｎ個の需要家に対して一通り電力を供給したことになるので、ステップＳ１１に戻ってｉを１にリセットする。そして、ステップＳ１２以降を実行することにより１番目の需要家から再び順に電力を供給することができる。制御回路１４は、ｉがｎよりも大きくない場合は、ｎ個の需要家に全て対して電力を供給していないため、ステップＳ１２に戻って次の需要家にインバータ回路１２から出力される交流電力を供給する。【００４３】
本実形態において、連系用リレー１３ａ、１３ｂは２つのため、ｎ＝２となり、符号［１］を符号ａ、符号[２]を符号ｂとして見れば、連系用リレー１３ａが１番目に接続状態にされるリレー１３[１]、連系用リレー１３ｂが２番目に接続状態にされるリレー１３[２]として見ることができる。同様に電流、電圧、電力量などについても符号を置き換えて読むことができる。このようにして、制御回路１４は、需要家２ａ、２ｂに順にインバータ回路１２が出力する交流電力の供給を行う。この際に、所定値Ｐｔｈ[ｉ]の割合は分配される電力量の割合になるので、需要家２ａ、２ｂの出資比率等により決定すると良い。これにより、各需要家にたいして公平に電力を分配することができる。【００４４】
また、制御回路１４は、需要家２ａ、２ｂの有する表示モニタ２６ａ、２６ｂと通信を行う通信回路としての機能を有する。この通信は、インターネット回線や、シリアル通信回線などを利用することで行うことができる。【００４５】
また、制御回路１４は、この通信機能を利用して、需要家２ａ、２ｂに対して、需要家に接続される連系用リレー１３ａ、１３ｂが開放状態である場合に、次にこの連系用リレー１３ａ、１３ｂが閉じられてインバータ回路１２が出力する交流電力が供給される時期を知らせる。この時期とは例えば、何番目にインバータ回路１２が出力する交流電力の供給が開始されるかであったり、どの位の時間でインバータ回路１２が出力する交流電力の供給が開始されるか等である。【００４６】
何番目にインバータ回路１２が出力する交流電力の供給が開始されるかは、上述のフローチャートの説明の際に示したように、制御回路１４は何番目の需要家に対して電力を供給しているかを覚えているので、これに基づいて求めることができる。【００４７】
また、どの位の時間でインバータ回路１２が出力する交流電力の供給が開始されるかについては、過去に各需要家にて電力量Ｐ[ｉ]がＰｔｈ[ｉ]に達した時間や、どの程度の時間により現在の電力量が供給されたかを考慮することにより求めることができる。【００４８】
このようにして、制御回路１４は、求められた次にインバータ回路１２が出力する交流電力が供給される時期について、各需要家２ａ、２ｂに設けられる表示モニタ２６ａ、２６ｂに転送して（知らせて）表示する。【００４９】
また、制御回路１４は、需要家２ａ、２ｃの逆潮流検出器２２ａ、２２ｂから、逆潮流を検出した旨の信号を受信可能に構成されている。制御回路１４は、この信号を受信すると、少なくとも１つの現在解放状態の連系用リレーを接続状態にして、なるべく複数の需要家２ａ、２ｂ内にて、インバータ回路１２が出力する交流電力を利用することができるように構成されている。これにより、商用電力系統４の買電電力料金よりも、商用電力系統４の売電料金が大きくなった場合など、発電電力を自家消費する方がコストが安くなるような場合に、なるべく複数の需要家２ａ、２ｂ内でコストの安い電力（太陽電池１の発電電力）を利用することができる。本実施例では需要家は２つであるが３つ以上の場合も同様である。【００５０】
また、逆潮流を検出した場合に接続する連系用リレーは、次の順の連系用リレーであると良い。そして、制御回路１４は、この際に接続した連系用リレーに接続される需要家にインバータ回路１２から供給された交流電力の電力量を記憶しておき、順番により次にこの需要家にインバータ回路１２から交流電力を供給することになった場合に、この記憶した電力量から電力量の検出を再開すると良い。このようにすることにより、逆潮流を検出した場合（イレギュラー）により供給された電力を考慮しながら順に需要家２ａ、２ｂにインバータ回路１２の出力する交流電力を供給することができる。【００５１】
以上のように、本発明の実施形態によれば、分岐配線Ｌａ、Ｌｂを用いて各需要家２ａ、２ｃへ電力を分配し、インバータ回路１２を共用する安価な構成を用いて、順に複数の需要家２ａ、２ｂに交流電力を供給するようにした。また、需要家２ａ、２ｂに供給される交流電力の電力量が所定値になった場合に、この需要家に接続される接続状態の連系用リレーを開放して次の順の連系用リレーを接続するようにした。これにより、交流電力を予め定めた分配比率の電力量にて各需要家２ａ、２ｃへ供給することができるため、システムを安価に構成しつつも電力の分配による際の不公平を抑制することができる。【００５２】
以上、本発明の一実施形態について説明したが、以上の説明は本発明の理解を容易にするためのものであり、本発明を限定するものではない。本発明はその趣旨を逸脱することなく、変更、改良され得ると共に本発明にはその等価物が含まれることは勿論である。 【００５３】
例えば、本実施形態において、電力量Ｐ［ｉ］を所定値Ｐｔｈ[ｉ]と比較して、次の需要家にインバータ回路の出力する交流電力を供給するようにしたが、電力量そのものでなくとも、それに準ずるものを利用しても電力量Ｐ[ｉ]を利用していると言える。例えば、電力量Ｐ[ｉ]に準ずるものとして、電流Ｉ[ｉ]の積算値であったり、電流Ｉ［ｉ］×Ｔの積算値であったり、電流Ｉ［ｉ］×Ｖの積算値等を利用することができる。【００５４】
また、例えば、本実形態において、分岐配線Ｌａ、Ｌｂや、連系用リレー１３ａ、１３ｂを備えた電力供給システム１の例をあげたが、分岐配線Ｌａ、Ｌｂ、連系用リレー１３ａ、１３ｂを別の筺体にまとめて電力分配器とすることにより、この電力分配器を既存のパワーコンディショナの出力側に取り付けるだけで、容易に本実施形態により述べた電力供給システム１を構成することができる。【００５５】
また、例えば、本実施形態において、太陽電池の発電電力の供給を受ける需要家に逆潮流が検出された場合に、次の順の連系用リレーを閉じて他の需要家にも電力を供給するようにしたが、各需要家に蓄電池を設けておき、逆潮流を検出した場合に、蓄電池に電力を充電するようにしても良い。蓄電池に充電した電力は、接続状態の連系用リレーが閉じた後に利用すると良い。このようにしても、商用電力系統４の買電電力料金よりも、商用電力系統４の売電料金が大きくなった場合など、発電電力を自家消費する方がコストが安くなるような場合に、なるべく複数の需要家２ａ、２ｂ内でコストの安い電力（太陽電池１の発電電力）を利用することができる。【００５６】
この場合、電力分配器は、直流電力を交流電力に変換するパワーコンディショナのインバータ回路に接続され、複数の需要家へ前記交流電力を供給することになる。また、この電力分配器は、一端が前記インバータ回路の出力側に接続され、他端を前記複数の需要家へ夫々接続される複数の分岐配線と、分岐配線に夫々介在し前記分岐配線の線路の接続／開放を行う開閉器とを備える。そして、この電力分配器は、複数の開閉器を予め定めた順に接続／解放を行うことによりインバータ回路の出力する交流電力を順に複数の需要家へ供給し、接続状態の開閉器に接続される需要家に供給される交流電力の電力量が所定値になった場合に、接続状態の開閉器を開放して次の順の開閉器を接続することになる。
【符号の説明】
【００５７】
１      電力変換システム
２      需要家
３      太陽電池
４      商用電力系統
１１    昇圧回路
１２    インバータ回路
１３    連系用リレー（開閉器）
１４    制御回路
２１    分電盤
２２    逆潮流検出器
２３    買電計
２４    売電計
２５    負荷
５１    入力電流センサ
５２    入力電圧センサ
５３    出力電流センサ
５４    出力電圧センサ
【図１】
0005903592.tif 000002
【図２】
0005903592.tif 000003
【図３】
0005903592.tif 000004